(57)【要約】【課題】データアイコンのドラッグ時に、そのアイコンに関するデータに設定されたアクセス権限の状態を、ユーザが容易に確認することができる技術を提供すること。【解決手段】本技術の一形態に係る電子機器は、入力部と、制御部とを具備する。前記入力部は、ユーザ操作を検出し、前記ユーザ操作に応じた信号を出力する。前記制御部は、データアイコンを表示部の画面上に表示させ、前記入力部からの信号に基づいて、前記データアイコンに対するドラッグ操作を判定し、前記ドラッグ操作に応じて、前記データアイコンに関するデータのアクセス権限の状態を示すアイコンを前記画面上に表示させる。【選択図】図１７
2012243164.tif 000002
【特許請求の範囲】
【請求項１】
ユーザ操作を検出し、前記ユーザ操作に応じた信号を出力する入力部と、
データアイコンを表示部の画面上に表示させ、前記入力部からの信号に基づいて、前記データアイコンに対するドラッグ操作を判定し、前記ドラッグ操作に応じて、前記データアイコンに関するデータのアクセス権限の状態を示すアイコンを前記画面上に表示させる制御部と
を具備する電子機器。
【請求項２】
請求項１に記載の電子機器であって、
前記制御部は、前記データアイコンに対するドラッグ操作に応じて、ドラッグ元の位置に前記データアイコンを表示させたまま、ドラッグ位置にデータアイコンの複製を表示させ、前記ドラッグ操作に基づく前記データアイコンの複製の移動による前記データアイコンの複製の軌跡上に、前記アイコンを表示させる
電子機器。
【請求項３】
請求項１に記載の電子機器であって、
前記制御部は、前記データアイコンに対するドラッグ操作に応じて、ドラッグ元の位置に前記データアイコンを表示させたまま、ドラッグ位置にデータアイコンの複製を表示させ、前記ドラッグ位置が、前記画面上の所定の領域内に位置するかを判定し、前記ドラッグ位置が前記領域内である場合に、前記アイコンを表示させる
電子機器。
【請求項４】
請求項３に記載の電子機器であって、
前記画面上の所定の領域は、前記データをコピー又は移動することが可能な領域であって、かつ、前記データが公開される領域を少なくとも含む領域である
電子機器。
【請求項５】
請求項４に記載の電子機器であって、
前記画面上の所定の領域は、前記データをコピー又は移動することが可能な領域であって、かつ、前記データが公開される領域よりも広く設定されている
電子機器。
【請求項６】
請求項１に記載の電子機器であって、
前記制御部は、前記アイコンとして、コピー又は移動を予定しているデータに対するアクセス権限の状態を編集するためのアクセス権限編集用アイコンを前記画面上に表示させ、前記入力部からの信号に基づいて、前記アクセス権限編集用アイコンに対するユーザ操作を判定し、前記ユーザ操作に応じて、コピー又は移動を予定しているデータに対するアクセス権限の状態を変更する
【請求項７】
電子機器に、
ユーザ操作を検出するステップと、
前記ユーザ操作に応じた信号を出力するステップと、
データアイコンを表示部の画面上に表示させるステップと、
前記信号に基づいて、前記データアイコンに対するドラッグ操作を判定するステップと、
前記ドラッグ操作に応じて、前記データアイコンに関するデータのアクセス権限の状態を示すアイコンを前記画面上に表示させるステップと
を実行させるプログラム。
【請求項８】
ユーザ操作を検出し、
前記ユーザ操作に応じた信号を出力し、
データアイコンを表示部の画面上に表示させ、
前記信号に基づいて、前記データアイコンに対するドラッグ操作を判定し、
前記ドラッグ操作に応じて、前記データアイコンに関するデータのアクセス権限の状態を示すアイコンを前記画面上に表示させる
制御方法。
【発明の詳細な説明】
【技術分野】
【０００１】
本技術は、データのアクセス権限に関する。
【背景技術】
【０００２】
従来から、ユーザが、ファイル等のデータを公開する際に、データに対してアクセス権限を設定する技術が知られている（例えば、特許文献１参照）。
【０００３】
例えば、ＰＣ（Personal Computer）を使用してユーザがファイルを公開する場合、一般的に、ユーザは、ＡＣＬ（Access Control List）を設定することで、アクセス権限を設定する。
【０００４】
その後、ユーザは、アクセス権限が設定されたファイルを示すアイコンをドラッグして、共有フォルダ等の公開用のフォルダが表示されている位置にそのアイコンをドロップする。すると、そのフォルダに、アクセス権限が設定されたファイルがコピー（又は移動）される。
【先行技術文献】
【特許文献】
【０００５】
【特許文献１】特開２００６−２５１９７７号公報
【発明の概要】
【発明が解決しようとする課題】
【０００６】
アクセス権限の設定は、セキュリティ上重要であるので、一般的に、ユーザは、ファイルにアクセス権限が正しく設定されているかどうかを確認する作業を行なう。しかしながら、アクセス権限が正しく設定されているかどうかを確認するのが面倒であるといった問題がある。
【０００７】
以上のような事情に鑑み、本技術の目的は、データアイコンのドラッグ時に、そのアイコンに関するデータに設定されたアクセス権限の状態を、ユーザが容易に確認することができる技術を提供することにある。
【課題を解決するための手段】
【０００８】
本技術の一形態に係る電子機器は、入力部と、制御部とを具備する。
前記入力部は、ユーザ操作を検出し、前記ユーザ操作に応じた信号を出力する。
前記制御部は、データアイコンを表示部の画面上に表示させ、前記入力部からの信号に基づいて、前記データアイコンに対するドラッグ操作を判定し、前記ドラッグ操作に応じて、前記データアイコンに関するデータのアクセス権限の状態を示すアイコンを前記画面上に表示させる。
【０００９】
これにより、ユーザは、データアイコンのドラッグ時に、そのアイコンに関するデータに設定されたアクセス権限の状態を容易に確認することができる。
【００１０】
上記電子機器において、前記制御部は、前記データアイコンに対するドラッグ操作に応じて、ドラッグ元の位置に前記データアイコンを表示させたまま、ドラッグ位置にデータアイコンの複製を表示させ、前記ドラッグ操作に基づく前記データアイコンの複製の移動による前記データアイコンの複製の軌跡上に、前記アイコンを表示させてもよい。
【００１１】
これにより、適切な位置にアイコンを表示させることができる。
【００１２】
上記電子機器において、前記制御部は、前記データアイコンに対するドラッグ操作に応じて、ドラッグ元の位置に前記データアイコンを表示させたまま、ドラッグ位置にデータアイコンの複製を表示させ、前記ドラッグ位置が、前記画面上の所定の領域内に位置するかを判定し、前記ドラッグ位置が前記領域内である場合に、前記アイコンを表示させてもよい。
【００１３】
上記電子機器において、前記画面上の所定の領域は、前記データをコピー又は移動することが可能な領域であって、かつ、前記データが公開される領域を少なくとも含む領域であってもよい。
【００１４】
これにより、適切なタイミングで、アイコンを表示させることができる。
【００１５】
上記電子機器において、前記画面上の所定の領域は、前記データをコピー又は移動することが可能な領域であって、かつ、前記データが公開される領域よりも広く設定されていてもよい。
【００１６】
上記電子機器において、
前記制御部は、前記アイコンとして、コピー又は移動を予定しているデータに対するアクセス権限の状態を編集するためのアクセス権限編集用アイコンを前記画面上に表示させ、前記入力部からの信号に基づいて、前記アクセス権限編集用アイコンに対するユーザ操作を判定し、前記ユーザ操作に応じて、コピー又は移動を予定しているデータに対するアクセス権限の状態を変更してもよい。
【００１７】
これにより、ユーザは、データアイコンのドラッグ操作に応じて画面上に表示されるアクセス権限編集用アイコンに対してユーザ操作を行なうことで、コピー又は移動を予定しているデータに対するアクセス権限の状態を編集することができる。
【００１８】
本技術の一形態に係るプログラムは、電子機器に、ユーザ操作を検出するステップを実行させる。
前記ユーザ操作に応じた信号を出力するステップを実行させる。
データアイコンを表示部の画面上に表示させるステップを実行させる。
前記信号に基づいて、前記データアイコンに対するドラッグ操作を判定するステップを実行させる。
前記ドラッグ操作に応じて、前記データアイコンに関するデータのアクセス権限の状態を示すアイコンを前記画面上に表示させるステップを実行させる。
【００１９】
本技術の一形態に係る制御方法は、ユーザ操作が検出される。
前記ユーザ操作に応じた信号が出力される。
データアイコンが表示部の画面上に表示される。
前記信号に基づいて、前記データアイコンに対するドラッグ操作が判定される。
前記ドラッグ操作に応じて、前記データアイコンに関するデータのアクセス権限の状態を示すアイコンが前記画面上に表示される。
【発明の効果】
【００２０】
以上のように、本技術によれば、データアイコンのドラッグ時に、そのアイコンに関するデータに設定されたアクセス権限の状態を、ユーザが容易に確認することができる。
【図面の簡単な説明】
【００２１】
【図１】本技術の一実施形態に係る電子機器（タブレットＰＣ）を示す平面図である。
【図２】タブレットＰＣの電気的な構成を示すブロック図である。
【図３】タブレットＰＣの処理を示すフローチャートである。
【図４】タブレットＰＣの処理を示すフローチャートである。
【図５】タブレットＰＣの処理を示すフローチャートである。
【図６】タブレットＰＣの処理を示すフローチャートである。
【図７】ファイルアイコンに対応するファイルに設定されているアクセス権限の一例を示す図である。
【図８】タブレットＰＣの処理を示すフローチャートである。
【図９】タブレットＰＣの処理を示すフローチャートである。
【図１０】タブレットＰＣの処理を示すフローチャートである。
【図１１】タブレットＰＣの処理を示すフローチャートである。
【図１２】タブレットＰＣの処理を示すフローチャートである。
【図１３】タブレットＰＣの処理を示すフローチャートである。
【図１４】タブレットＰＣの処理を示すフローチャートである。
【図１５】タブレットＰＣの処理を示すフローチャートである。
【図１６】ユーザが、デスクトップ上に表示されたファイルアイコンを指でタッチした後に、その指を画面上から離さないままスライドさせたとき（ドラッグ操作したとき）の画面上の様子を示す図である。
【図１７】ユーザが、デスクトップ上に表示されたファイルアイコンを指でタッチした後に、その指を画面上から離さないままスライドさせたとき（ドラッグ操作したとき）の画面上の様子を示す図である。
【図１８】ユーザが一方の手の指でデスクトップ上のファイルアイコンをドラッグして、ドラッグした指を画面上から離さない状態で、他方の手の指でアクセス権限編集用アイコンをタップ操作したときの様子を示す図である。
【図１９】ユーザが一方の手の指でデスクトップ上のファイルアイコンをドラッグして、ドラッグした指を画面上から離さない状態で、他方の手の指でアクセス権限編集用アイコンをタップ操作したときの様子を示す図である。
【図２０】ユーザが一方の手の指でデスクトップ上のファイルアイコンをドラッグして、ドラッグした指を画面上から離さない状態で、他方の手の指でアクセス権限編集用アイコンをタップ操作したときの様子を示す図である。
【図２１】ユーザが一方の手の指でデスクトップ上のファイルアイコンをドラッグして、他方の手の指でアクセス権限編集用アイコンを操作した後、ドラッグした指をフォルダ（共有フォルダ）内で離したときの画面上の様子を示す図である。
【図２２】ユーザが一方の手の指でデスクトップ上のファイルアイコンをドラッグして、他方の手の指でアクセス権限編集用アイコンを操作した後、ドラッグした指をフォルダ（共有フォルダ）内で離したときの画面上の様子を示す図である。
【図２３】アクセス権限編集用アイコンの表示タイミングのさらに他の例を説明するための図である。
【発明を実施するための形態】
【００２２】
以下、本技術に係る実施形態を、図面を参照しながら説明する。
【００２３】
＜第１実施形態＞
［電子機器の全体構成及び各部の構成］
図１は、本技術の第１実施形態に係る電子機器１００を示す平面図である。本実施形態の説明では、電子機器１００の一例として、タブレットＰＣ１００を例に挙げて説明する。
【００２４】
図１に示すように、タブレットＰＣ１００は、ｚ軸方向での厚さが薄い平板状の筐体１０を備えている。筐体１０には、画面を有する表示部１２が配置される。表示部１２には、ユーザの指やスタイラスペン等の接触を検出するタッチセンサ１３（図２参照）（入力部）が設けられる。
【００２５】
表示部１２は、例えば、液晶ディスプレイや、ＥＬ（Electro-Luminescence）ディスプレイ等により構成される。タッチセンサ１３としては、例えば、抵抗膜方式、静電容量方式等が挙げられるが、どのような方式であっても構わない。なお、第１実施形態では、タッチセンサ１３は、マルチタッチによる入力が可能な形態とされる。
【００２６】
図１には、画面上に表示されるＧＵＩ（Graphical User Interface）の一例が示されている。この一例では、画面上には、デスクトップと、フォルダ２（共有フォルダ）とが表示され、デスクトップ上及びフォルダ２内には、それぞれ、ファイルアイコン１（データアイコン）が表示されている。ファイルアイコン１のファイル（データ）の種類としては、文書ファイル、画像ファイル、音楽ファイル、動画ファイル、プログラムファイル等が挙げられる。
【００２７】
図２は、タブレットＰＣ１００の電気的な構成を示すブロック図である。
【００２８】
図２に示すように、タブレットＰＣ１００は、上記した表示部１２、タッチセンサ１３の他に、制御部１１、通信部１４、記憶部１５を備えている。
【００２９】
制御部１１は、ＣＰＵ（Central Processing Unit）等により構成される。制御部１１は、各種のプログラムに基づき種々の演算を実行し、タブレットＰＣ１００の各部を統括的に制御する。
【００３０】
記憶部１５は、制御部１１の処理に必要な各種のプログラムが記憶される不揮発性のメモリ（例えば、ＲＯＭ（Read Only memory））と、制御部１１の作業領域として用いられる揮発性のメモリ（例えば、ＲＡＭ（Random Access Memory））とを含む。上記プログラムは、光ディスク、半導体メモリ等の記録媒体から読み取られてもよい。
【００３１】
通信部１４は、他の装置に情報を送信したり、他の装置からの情報を受信したりする。通信部１４による通信方式は、無線による通信方式であってもよいし、有線による通信方式であってもよい。
【００３２】
［動作説明］
次に、第１実施形態に係るタブレットＰＣ１００の処理について説明する。図３〜図６、図８〜図１５は、第１実施形態のタブレットＰＣ１００の処理を示すフローチャートである。図７は、ファイルアイコン１に対応するファイルに設定されているアクセス権限の一例を示す図である。
【００３３】
図１６〜図２２は、画面に対するユーザ操作に応じて、タブレットＰＣ１００により各処理が実行されたときの画面上の様子を示す図である
【００３４】
なお、第１実施形態では、タブレットＰＣ１００がマルチタッチ方式に対応していることとして、各処理を説明する。
【００３５】
図３を参照して、まず、タブレットＰＣ１００の制御部１１は、変数の初期化を実行する（ステップ１０１）。
【００３６】
図４を参照して、制御部１１は、変数の初期化として、ファイルアイコンドラッグ中のフラグをＯＦＦとする（ステップ２０１）。次に、制御部１１は、ドロップ可能フラグをＯＦＦとする（ステップ２０２）。次に、制御部１１は、タッチ移動イベントのタッチ座標を記憶する履歴リングバッファをクリアする（ステップ２０３）。
【００３７】
履歴リングバッファは、タッチ移動イベントの座標を、イベントが発生した順に追加して記憶するバッファである。履歴リングバッファとしては、例えば、最初に追加したイベント（最も古いイベント）がバッファの先頭に配置され、最後に追加したイベント（最も新しいイベント）がバッファの最後に配置されるＦＩＦＯバッファ（ＦＩＦＯ：First In First Out）が用いられる。例えば、履歴リングバッファが、１０００個の座標を記憶できるバッファであるとする。この場合、制御部１１は、履歴リングバッファに新しい座標を追加して記憶するとき、そのリングバッファがいっぱいになっている（１０００個の座標がたまっている）場合、まず、リングバッファの先頭（１個目）の座標を消去する。そして、制御部１１は、その新しい座標をリングバッファの最後（１０００個目）に追加して記憶する。
【００３８】
再び、図３を参照して、次に、制御部１１は、タッチセンサ１３からイベントを取得し（ステップ１０２）、タッチセンサ１３から取得されたイベントが、タッチの開始の検出であるかを判定する（ステップ１０３）。イベントがタッチの開始の検出である場合（ステップ１０３ＹＥＳ）、タッチの開始の検出に応じた処理を実行する（ステップ１０４）。制御部１１は、タッチの開始の検出に応じた処理を実行すると、再びステップ１０２へ戻り、タッチセンサ１３からイベントを取得する。
【００３９】
一方、タッチセンサ１３から取得されたイベントがタッチの開始の検出でない場合（ステップ１０３のＮＯ）、制御部１１は、イベントがタッチの移動の検出であるかを判定する（ステップ１０５）。イベントがタッチの移動の検出である場合（ステップ１０５のＹＥＳ）、制御部１１は、タッチの移動の検出に応じた処理を実行する（ステップ１０６）。制御部１１は、タッチの移動の検出に応じた処理を実行すると、再びステップ１０２へ戻り、タッチセンサ１３からイベントを取得する。
【００４０】
一方、タッチセンサ１３から取得されたイベントがタッチの移動の検出でない場合（ステップ１０５のＮＯ）、制御部１１は、イベントがタッチの終了の検出であるかを判定する（ステップ１０７）。イベントがタッチの終了の検出である場合（ステップ１０７のＹＥＳ）、制御部１１は、タッチの終了の検出に応じた処理を実行する（ステップ１０８）。制御部１１は、タッチの終了の検出に応じた処理を実行すると、再びステップ１０２へ戻り、タッチセンサ１３からイベントを取得する。
【００４１】
図５を参照して、図３に示すステップ１０４の処理（タッチの開始が検出されたときの処理）を説明する。制御部１１は、タッチセンサ１３から取得されたイベントがタッチの開始の検出である場合（ステップ１０３のＹＥＳ）、そのタッチの開始が、１本目の指（あるいは、スタイラスペン等、以下同様）のタッチの開始であるかを判定する（ステップ３０１）。１本目の指のタッチの開始であると判定された場合（ステップ３０１のＹＥＳ）、制御部１１は、ファイルアイコン１の選択時において、タッチの開始が検出されたときの処理を実行する（ステップ３０２）。
【００４２】
一方、１本目の指のタッチの開始ではない場合（ステップ３０１のＮＯ）、制御部１１は、２本目の指によるタッチの開始であるかを判定する（ステップ３０３）。２本目の指によるタッチの開始である場合（ステップ３０３のＹＥＳ）、制御部１１は、処理の選択時において、タッチの開始が検出されたときの処理を実行する（ステップ３０４）。
【００４３】
図６を参照して、図５に示すステップ３０２の処理（ファイルアイコン１の選択時において、タッチの開始が検出されたときの処理）を説明する。制御部１１は、タッチの開始が、１本目の指によるタッチの開始である場合（ステップ３０１のＹＥＳ）、画面上でファイルアイコン１が表示されている位置がタッチされたかを判定する（ステップ４０１）。ファイルアイコン１が表示されている位置がタッチされたと判定された場合（ステップ４０１のＹＥＳ）、制御部１１は、ファイルアイコンドラッグ中のフラグをＯＮとする（ステップ４０２）。次に、制御部１１は、ドロップ可能フラグをＯＦＦとする（ステップ４０３）。
【００４４】
次に、制御部１１は、タッチが開始されたときの座標Ｐを履歴リングバッファに追加して記憶する（ステップ４０４）。次に、制御部１１は、選択されたファイルアイコン１と、タッチが開始されたときの座標Ｐとを記憶部１５に記憶する（ステップ４０５）。次に、制御部１１は、選択されたファイルアイコン１に対応するファイルに設定されているアクセス権限の内容を記憶部１５にコピーして記憶しておく（ステップ４０６）。
【００４５】
図７には、選択されたファイルアイコン１に対応するファイルに設定されているアクセス権限の一例が示されている。図７に示す例では、アクセス権限について、ファイルの編集（変更）が「許可」とされ、ファイルのコピーが「許可」とされ、ファイルの印刷が「許可」とされている場合の一例が示されている。
【００４６】
図８を参照して、図３に示すステップ１０６の処理（タッチの移動が検出されたときの処理）について説明する。タッチセンサ１３から取得されたイベントがタッチの移動の検出である場合（ステップ１０５のＹＥＳ）、制御部１１は、そのタッチの移動が、１本目の指によるタッチの移動であるかを判定する（ステップ５０１）。タッチの移動が、１本目の指によるタッチの移動であると判定された場合（ステップ５０１のＹＥＳ）、制御部１１は、ファイルアイコン１の選択時において、タッチの移動が検出されたときの処理を実行する（ステップ５０２）。
【００４７】
図９を参照して、図８に示すステップ５０２に示す処理（ファイルアイコン１の選択時において、タッチの移動が検出されたときの処理）について説明する。制御部１１は、タッチの移動が１本目の指によるタッチの移動であると判定された場合（ステップ５０１のＹＥＳ）、ファイルアイコンドラッグ中のフラグがＯＮであるかを判定する（ステップ６０１）。
【００４８】
ファイルアイコンドラッグ中のフラグがＯＮである場合（ステップ６０１のＹＥＳ）、制御部１１は、現在、ユーザによりタッチされている座標Ｑを記憶部１５に記憶する（ステップ６０２）。次に、制御部１１は、ファイルアイコン１に対してタッチが開始されたときの座標Ｐ（図６、ステップ４０５参照）と、現在、ユーザによりタッチされている座標Ｑとが異なるかを判定する（ステップ６０３）。
【００４９】
座標Ｐと、座標Ｑとが異なる場合（ファイルアイコン１のドラッグ操作がされた場合）（ステップ６０３のＹＥＳ）、制御部１１は、ゴーストアイコン４（データアイコンの複製）を画面上に表示させる（ステップ６０４）。また、この場合、制御部１１は、ドラッグによるゴーストアイコン４の軌跡上に、記憶部１５に記憶されたアクセス権限の内容に基づいて（図７参照）、アクセス権限編集用アイコン６を表示させる（ステップ６０５）。
【００５０】
ドラッグによるゴーストアイコン４の軌跡は、履歴リングバッファに記憶された座標に基づいて、算出することができる。例えば、履歴リングバッファが１０００個の座標を記憶できるバッファである場合、制御部１１は、バッファの最後から数えて例えば、ｖ個おきの座標に、アクセス権限編集用アイコン６を描画していく。具体的な一例を説明すると、ｖが５０で、画面上に表示するアクセス権限編集用アイコン６の数が３個の場合、制御部１１は、バッファの最後から数えて５０番目、１００番目、１５０番目の座標に、それぞれアクセス権限編集用アイコン６を描画する。
【００５１】
例えば、３個のアクセス権限編集用アイコン６を表示すべき場合に、座標が１２０個しかたまっていない場合には、制御部１１は、バッファの最後から数えて５０番目、１００番目の座標に、２つのアクセス権限編集用アイコン６を表示する。なお、画面上に表示可能なアクセス権限編集用アイコン６の数は、バッファサイズ／ｖにより、制限される。
【００５２】
図１６、図１７には、ユーザが、デスクトップ上に表示されたファイルアイコン１を指でタッチした後に、その指を画面上から離さないままスライドさせたとき（ドラッグ操作したとき）の画面上の様子が示されている。
【００５３】
図１６及び図１７に示すように、ユーザがファイルアイコン１をドラッグ操作した場合、ドラッグ元の位置にファイルアイコン１が表示させたまま、ドラッグ位置にゴーストアイコン４が表示される（ステップ６０４）。この場合、制御部１１は、ゴーストアイコン４として、ファイルアイコン１と同じ形状の画像であって、例えば、５０％の透明度の画像を画面上に表示させる。ゴーストアイコン４は、ドラッグ元のファイルアイコン１の座標位置に（Ｑ−Ｐ）を加えた位置に表示される。
【００５４】
また、図１６及び図１７に示すように、ユーザがファイルアイコン１をドラッグ操作した場合、ドラッグによるゴーストアイコン４の軌跡上に、アクセス権限編集用アイコン６が表示される。アクセス権限編集用アイコン６は、ゴーストアイコン４を先頭にして、ドラッグの軌跡上に順番に並べられるようにして表示される。このアクセス権限編集用アイコン６は、コピー又は移動を予定しているファイルのアクセス権限をユーザが編集するためのアイコンである。
【００５５】
ここでの一例では、アクセス権限編集用アイコン６として、ゴーストアイコン４から近い側から順番に、編集権限編集用アイコン６ａ、コピー権限編集用アイコン６ｂ、印刷権限編集用アイコン６ｃが表示された場合の一例が示されている。
【００５６】
編集権限編集用アイコン６ａは、錠前の画像とされおり、コピー権限編集用アイコン６ｂは、２枚の紙が重なっている状態の画像とされており、印刷権限編集用アイコン６ｃは、プリンタの画像とされている。アクセス権限編集用アイコン６に対して、どのような画像が割り当てられるかは、特に限定されず、適宜変更することができる。典型的には、アクセス権限をユーザが想起することができるような画像であれば、画像は、どのような画像であっても構わない。
【００５７】
図１６及び図１７に示す時点では、ユーザによってアクセス権限編集用アイコン６は、まだ操作されておらず、アクセス権限編集用アイコン６は、ドラッグ元のファイルアイコン１に対応するファイルのアクセス権限の状態を示している。
【００５８】
このように、本実施形態では、ユーザのファイルアイコン１のドラッグ操作に応じて、ドラッグ元のファイルアイコン１に対応するファイルのアクセス権限の状態を示すアイコン６が表示される。これにより、ユーザは、ドラッグ元のファイルアイコン１に対応するファイルに設定されているアクセス権限の状態を容易に視認することができる。
【００５９】
再び図９を参照して、制御部１１は、ゴーストアイコン４と、アクセス権限編集用アイコン６とを画面上に表示させると、現在、ユーザによりタッチされている画面上の座標Ｑが共有フォルダ上であるかを判定する（ステップ６０６）。ステップ６０６では、制御部１１は、座標Ｑ（ドラッグ位置）が、ファイルをコピー又は移動することが可能な画面上の領域内に位置するかを判定している。また、制御部１１は、座標Ｑが、ファイルが公開される画面上の領域内に位置するかを判定している。
【００６０】
現在、ユーザによりタッチされている座標Ｑが、共有フォルダ上である場合（ステップ６０６のＹＥＳ）、制御部１１は、ドロップ可能フラグをＯＮとする（ステップ６０７）。一方、現在、ユーザによりタッチされている座標Ｑが共有フォルダ上ではない場合（ステップ６０６のＮＯ）、制御部１１は、ドロップ可能フラグをＯＦＦとし（ステップ６０８）、ステップ６１０に進む。
【００６１】
制御部１１は、ドロップ可能フラグをＯＮとすると、座標Ｑが指す共有フォルダを記憶部１５に記憶し（ステップ６０９）、次のステップ６１０へ進む。ステップ６１０では、制御部１１は、履歴リングバッファに座標Ｑを追加して記憶する。
【００６２】
図１０を参照して、図３に示すステップ１０８の処理（タッチの終了が検出されたときの処理）について説明する。タッチセンサ１３から取得されたイベントが、タッチの終了の検出である場合（ステップ１０７のＹＥＳ）、制御部１１は、１本目の指によるタッチが離れたことによりタッチの終了が検出されたのかを判定する（ステップ７０１）。一本目の指によるタッチが離れたことによりタッチの終了が検出されたと判定された場合（ステップ７０１のＹＥＳ）、制御部１１は、ファイルアイコン１の選択時において、タッチの終了が検出されたときの処理を実行する（ステップ７０２）。
【００６３】
一方、１本目の指によるタッチが離れたことによりタッチの終了が検出されたのではない場合（ステップ７０１のＮＯ）、制御部１１は、２本目の指によるタッチが離れたことによりタッチの終了が検出されたのかを判定する（ステップ７０３）。２本目の指によるタッチが離れたことによりタッチの終了が検出されたと判定された場合（ステップ７０３のＹＥＳ）、制御部１１は、処理の選択時において、タッチの終了が検出されたときの処理を実行する（ステップ７０４）。
【００６４】
図１１を参照して、図５に示すステップ３０４の処理（処理の選択時において、タッチの開始が検出されたときの処理）について説明する。タッチの開始が、２本目の指によるタッチの開始である場合（ステップ３０３のＹＥＳ）、制御部１１は、ファイルアイコンドラッグ中のフラグがＯＮであるかを判定する（ステップ８０１）。ファイルアイコンドラッグ中のフラグがＯＮである場合（ステップ８０１のＹＥＳ）、制御部１１は、２本目の指によるタッチの開始が検出された座標Ｓを保存する（ステップ８０２）。
【００６５】
図１２を参照して、図１０に示すステップ７０４の処理（処理の選択時において、タッチの終了が検出されたときの処理）について説明する。タッチの終了が、２本目の指によるタッチの終了である場合（ステップ７０３のＹＥＳ）、制御部１１は、ファイルアイコンドラッグ中のフラグがＯＮであるかを判定する（ステップ９０１）。ファイルアイコンドラッグ中のフラグがＯＮである場合（ステップ９０１のＹＥＳ）、制御部１１は、２本目の指によるタッチが終了したときの座標Ｔを記憶部１５に記憶する（ステップ９０２）。
【００６６】
次に、制御部１１は、２本目の指によるタッチが開始されたときの座標Ｓと、２本目の指によるタッチが終了したときの座標Ｔとから、画面に対するユーザ操作がどのような操作であるかを推定する（ステップ９０３）。
【００６７】
次に、制御部１１は、推定されたユーザ操作が、アクセス権限を編集するための操作であるかを判定する（ステップ９０４）。制御部１１は、例えば、座標Ｓと、座標Ｔとが一致しており、かつ、座標Ｓ（座標Ｔ）がアクセス権限編集用アイコン６表示されている位置と一致している場合に、ユーザ操作がアクセス権限を編集するための操作であると推定する。すなわち、制御部１１は、２本目の指によるアクセス権限編集用アイコン６に対するタップ操作（あるいは、タッチ操作）が検出された場合、ユーザ操作がアクセス権限を編集するための操作であると推定する。
【００６８】
制御部１１は、推定されたユーザ操作がアクセス権限を編集するための操作であると判定された場合（ステップ９０４のＹＥＳ）、コピー又は移動を予定しているファイルに対するアクセス権限の編集に関する処理を実行する（ステップ９０５）。
【００６９】
図１３を参照して、図１２のステップ９０５の処理（アクセス権限の編集に関する処理）について説明する。２本目の指によるアクセス権限編集用アイコン６に対するタップ操作が検出された場合（ステップ９０４のＹＥＳ）、制御部１１は、タップ操作の対象となったアクセス権限編集用アイコン６が示すアクセス権限が許可であるかを判定する（ステップ１００１）。
【００７０】
アクセス権限が許可である場合（ステップ１００１のＹＥＳ）、コピー又は移動を予定しているファイルに対するアクセス権限を不許可に変更する（ステップ１００２）。一方、アクセス権限が不許可である場合（ステップ１００１のＮＯ）、制御部１１は、コピー又は移動を予定しているファイルに対するアクセス権限を許可に変更する（ステップ１００３）。
【００７１】
次に、制御部１１は、アクセス権限の変更に応じて、記憶部１５に記憶されているアクセス権限の内容（図７参照）を更新する（ステップ１００４）。そして、アクセス権限の変更に応じて、アクセス権限編集用アイコン６を再表示する（ステップ１００５）。
【００７２】
なお、アクセス権限編集の処理によって変更されるのは、あくまで、コピー又は移動を予定しているファイルに対するアクセス権限であり、ドラッグ元のファイルアイコン１のファイルは、アクセス権限編集の処理によっては、影響を受けない。
【００７３】
図１８〜２０には、ユーザが一方の手の指でデスクトップ上のファイルアイコン１をドラッグして、ドラッグした指を画面上から離さない状態で、他方の手の指でアクセス権限編集用アイコン６をタップ操作したときの様子が示されている。
【００７４】
図１８に示すように、ユーザが他方の手の指で編集権限編集用アイコン６ａ（錠前の画像）をタップ操作した場合、タップ操作に応じて、編集権限の許可／不許可が反転する（トグル操作）（ステップ１００１〜ステップ１００５）。図１８では、錠前に鍵がかかっていない状態の画像が表示されている位置をユーザがタップ操作することで、編集権限が許可から不許可に変更され、鍵がかかっている状態の画像が画面上に表示されたときの様子が示されている。
【００７５】
図１９に示すように、ユーザが他方の手の指でコピー権限編集用アイコン６ｂ（２枚の紙が重ねられた画像）をタップ操作した場合、タップ操作に応じて、コピー権限の許可／不許可が反転する。図１９では、２枚の紙が重ねられた画像が表示されている位置を、ユーザがタップ操作することで、コピー権限が許可から不許可に変更され、２枚の紙に×印が付加された画像が表示されたときの様子が示されている。
【００７６】
図２０に示すように、ユーザが他方の手の指で印刷権限編集用アイコン６ｃ（プリンタの画像）をタップ操作した場合、タップ操作に応じて、印刷権限の許可／不許可が反転する。図２０では、プリンタの画像が表示されている画面上の位置をユーザがタップ操作することで、印刷権限が許可から不許可に変更され、プリンタに×印が付加された画像が表示されたときの様子が示されている。
【００７７】
このように、ユーザは、アクセス権限編集用アイコン６をタップ操作することで、コピー又は移動を予定しているファイルに対するアクセス権限の状態を、直感的かつ簡単に変更することができる。
【００７８】
図１４を参照して、図１０に示すステップ７０２の処理（ファイルアイコン１の選択時において、タッチの終了が検出されたときの処理）を説明する。制御部１１は、一本目の指によるタッチが離れたことによりタッチの終了が検出されたと判定された場合（ステップ７０１のＹＥＳ）、ファイルアイコンドラッグ中のフラグがＯＮであるかを判定する（ステップ１１０１）。ファイルアイコンドラッグ中のフラグがＯＮである場合（ステップ１１０１のＹＥＳ）、制御部１１は、ドロップ可能フラグがＯＦＦであるかを判定する（ステップ１１０２）。
【００７９】
ドロップ可能フラグがＯＦＦである場合（ステップ１１０２のＹＥＳ）、制御部１１は、
ゴーストアイコン４がドラッグ元のファイルアイコン１の位置に移動して戻るように、画面上の表示を制御する（ステップ１１０３）。この場合、ゴーストアイコン４は、ファイルアイコン１の位置まで移動すると、ファイルアイコン１と重なって画面上から消える。このとき、制御部１１は、ゴーストアイコン４がドラッグ元のファイルアイコン１の位置に戻るのに応じて、アクセス権限編集用アイコン６が画面上から消えるように、画面上の表示を制御する。
【００８０】
このような処理により、ドラッグ位置が、ファイルを移動又はコピー可能な領域でない状態（かつ、ファイルが公開される領域でない状態）で、ユーザがドラッグした指を画面上から離した場合（ドロップ）、ドラッグがキャンセルされる。ユーザは、ゴーストアイコン４がファイルアイコン１の位置に移動する画面上の様子を視認することで、ドラッグ操作がキャンセルされたことを直感的に認識することができる。
【００８１】
一方、ドロップ可能フラグがＯＮである場合（ステップ１１０２のＮＯ）、制御部１１は、ファイルのコピーに関する処理を実行する（ステップ１１０４）。このような処理により、ドラッグ位置が、ファイルをコピー又は移動可能な領域（かつ、ファイルが公開される領域）内に位置する状態で、ユーザがドラッグした指を画面上から離した場合（ドロップ）、ファイルのコピーに関する処理が実行される。
【００８２】
制御部１１は、ゴーストアイコン４がドラッグ元のファイルアイコン１の位置に戻るように画面上の表示を制御した（ドラッグをキャンセルした）後、あるいは、コピーに関する処理を実行した後、次のステップ１１０５へ進む。ステップ１１０５では、制御部１１は、変数の初期化の処理を実行する（図４参照）。
【００８３】
次に、図１５を参照して、図１４のステップ１１０４の処理（ファイルのコピーに関する処理）について説明する。ユーザが共有フォルダ内にドラッグした指を位置させて、その指を画面上から離した場合（ステップ１１０２のＮＯ）、制御部１１は、ドラッグ元のファイルアイコン１のファイルに設定されているアクセス権限の内容と、記憶部１５に記憶されているアクセス権限の内容とが同じ内容であるかを判定する（ステップ１２０１）。
【００８４】
ステップ１２０１では、制御部１１は、ドラッグ元のファイルアイコン１のファイルに設定されているアクセス権限の内容と、アクセス権限編集用アイコン６に対するユーザ操作によって更新されたアクセス権限の内容とが一致するかを判定している。
【００８５】
２つのアクセス権限の内容が同じである場合（ステップ１２０１のＹＥＳ）、制御部１１は、共有フォルダ（ドラッグ位置が指し示すコンピュータ上の場所）にドラッグ元のファイルアイコン１が示すファイルのコピーを作成する（ステップ１２０２）。
【００８６】
一方、２つのアクセス権限の内容が異なる場合（ステップ１２０１のＮＯ）、制御部１１は、共有フォルダ（ドラッグ位置が指し示すコンピュータ上の場所）に新たにファイルを作成する（ステップ１２０３）。次に、制御部１１は、記憶部１５に記憶されたアクセス権限の内容（ステップ１００４参照）が反映されるように、ファイルを更新する（ステップ１２０４）。
【００８７】
なお、ステップ１２０４で更新されるファイルは、ドラッグ元のアイコンが示すファイルと、アクセス権限の内容が異なっているが、ファイルの内容自体は、ドラッグ元のアイコンが示すファイルと同じである。
【００８８】
図２１〜図２２には、ユーザが一方の手の指でデスクトップ上のファイルアイコン１をドラッグして、他方の手の指でアクセス権限編集用アイコン６を操作した後、ドラッグした指をフォルダ２（共有フォルダ）内で離したときの画面上の様子が示されている。
【００８９】
図２１に示す状態から、ユーザがファイルアイコン１をドラッグした指を画面から離した場合、図２２に示すように、ドロップ位置に、ファイルアイコン１を示す画像が表示される。このとき、アクセス権限編集用アイコン６も画面上から消える。このとき、タブレットＰＣ１００の内部では、フォルダ２（共有フォルダ）に新たにファイルが作成される（ステップ１２０３）。そして、記憶部１５に記憶されたアクセス権限の内容が反映されるように（アクセス権限の状態の変更が反映されるように）、ファイルが更新される（ステップ１２０４）。
【００９０】
図２１に示す一例では、編集権限編集用アイコン６ａ（錠前の画像）、コピー権限編集用アイコン６ｂ（２枚の紙が重なっている画像）及び印刷権限編集用アイコン６ｃ（プリンタの画像）のアクセス権限は、全て「不許可」となっている。従って、この場合、フォルダ２（共有フォルダ）には、編集権限、コピー権限及び印刷権限が不許可とされた、ドラッグ元のファイルアイコン１のファイルと同じ内容のファイルが作成される。
【００９１】
このように、ユーザは、アクセス権限編集用アイコン６をタップ操作した後、ドラッグした指を画面から離すことで、アクセス権限の状態が反映されたファイルを任意のフォルダ２にコピーすることができる。
【００９２】
ステップ１１０４の説明では、ドラッグの対象となったファイルアイコン１に関するファイルがコピーされる場合に説明したが、ファイルのコピーの代わりに、ファイルの移動の処理が実行されてもよい。
【００９３】
＜各種変形例＞
上述の説明では、アクセス権限編集用アイコン６の表示タイミングについて、ファイルアイコン１のドラッグ開始時にアクセス権限編集用アイコン６が表示される場合について説明した。しかしながら、アクセス権限編集用アイコン６の表示タイミングは、これに限れない。
【００９４】
例えば、ユーザが一方の手の指でファイルアイコンをドラッグして、その指をフォルダ２の表示領域（ファイルのコピー又は移動が可能な画面上の領域（かつ、ファイルが公開される領域））上に位置させたときに、アクセス権限編集用アイコン６が表示されてもよい。この場合、ユーザがファイルアイコン１をドラッグした指をフォルダ２の表示領域から外すと、画面上からアクセス権限編集用アイコン６が消える。
【００９５】
図９を参照して、この場合、制御部１１は、ステップ６０５の前に、座標Ｑ（ドラッグ位置）が、共有フォルダ上であるかを判定し、判定が肯定的である場合に、画面上に、アクセス権限編集用アイコン６を表示させればよい。これにより、適切なタイミングで、アクセス権限編集用アイコン６を画面上に表示することができる。
【００９６】
あるいは、さらに他の表示タイミングで、アクセス権限編集用アイコン６を画面上に表示させることもできる。
【００９７】
図２３には、アクセス権限編集用アイコン６の表示タイミングのさらに他の例が示されている。図２３に示す例では、ユーザがデスクトップ上に表示されたファイルアイコン１をドラッグした指を領域３内に位置させた場合に、アクセス権限編集用アイコン６が画面上に表示される場合が示されている。この場合、ユーザがファイルアイコン１をドラッグした指を領域３から外すと、画面上からアクセス権限編集用アイコン６が消える。この領域３は、画面上のフォルダ２の表示領域よりも広く設定されている。
【００９８】
図９を参照して、この場合、制御部１１は、ステップ６０５の前に、座標Ｑ（ドラッグ位置）が、領域３内であるかを判定し、判定が肯定的である場合に、画面上に、アクセス権限編集用アイコン６を表示させればよい。
【００９９】
この場合、ユーザは、領域３の内側の位置であって、フォルダ２の表示領域の外側の位置にファイルアイコン１をドラッグした一方の手の指を位置させる。そして、この状態で、他方の手の指でアクセス権限編集用アイコン６をタップ操作して、アクセス権限の許可／不許可を選択することで、ファイルの公開の準備を行なう。
【０１００】
その後、ファイルアイコン１をドラッグした一方の手の指をフォルダ２の表示領域の内側に位置させて、その指を画面から離せばよい。これにより、アクセス権限の状態の変更が反映されたファイルがフォルダ２内にコピーされる。
【０１０１】
ここで、ユーザが、領域３の内側の位置であって、フォルダ２の表示領域の外側の位置に一方の手の指を位置させた状態で、他方の手の指でアクセス権限編集用アイコン６をタップ操作する理由を説明する。
【０１０２】
比較として、ユーザがファイルアイコン１をドラッグした一方の手の指をフォルダ２の表示領域の内側に位置させた状態で、他方の手の指でアクセス権限編集用アイコン６をタップ操作する場合を想定する。この場合、ユーザが他方の手の指でアクセス権限編集用アイコン６をタップ操作しているときに、ファイルアイコン１をドラッグしている一方の手が誤って画面上から離れしまうような場合が想定される。この場合、ユーザのアクセス権限の意図が反映されていないファイルが公開されてしまう。これを防止するために、ユーザは、領域３の内側の位置であって、フォルダ２の表示領域の外側の位置に一方の手の指を位置させた状態で、他方の手の指でアクセス権限編集用アイコン６をタップ操作している。
【０１０３】
すなわち、画面上のフォルダ２（共有フォルダ）の表示領域よりも広く領域３を設定することで、ユーザによる誤操作を防止することができる。
【０１０４】
なお、図１８〜図２０でユーザがファイルアイコン１をドラッグした一方の手の指をフォルダ２の表示領域の外側に位置させた状態で、他方の手の指でアクセス権限編集用アイコン６をタップ操作しているのも、上記理由による。
【０１０５】
以上の説明では、アクセス権限編集用アイコン６がドラッグによるゴーストアイコン４の軌跡上に表示される場合について説明した。しかしながら、アクセス権限編集用アイコン６の表示位置は、これに限られない。例えば、アクセス権限編集用アイコン６は、ゴーストアイコン４の近傍に、ゴーストアイコン４を囲むように表示されても構わない。あるいは、画面の上下左右の端の位置に表示されてもよい。アクセス権限編集用アイコン６がどの位置に表示されるかは、適宜変更可能である。
【０１０６】
以上の説明では、アクセス権限編集用アイコン６のタップ操作（あるいは、タッチ操作）により、アクセス権限の許可／不許可が変更される場合について説明した。しかし、アクセス権限編集用アイコン６に対するフリック操作やドラッグ操作により、アクセス権限の許可／不許可が変更されてもよい。例えば、ゴーストアイコン４の近傍に表示されたアクセス権限編集用アイコン６が、ゴーストアイコン４から遠ざかる方向にフリック操作された場合に、アクセス権限の許可／不許可が変更されてもよい。あるいは、例えば、ゴーストアイコン４から離れた位置に表示されたアクセス権限編集用アイコン６がドラッグされてゴーストの近傍にドロップされた場合に、アクセス権限の許可／不許可が変更されてもよい。
【０１０７】
以上の説明では、ドラッグの対象となるファイルアイコン１が１つの場合について説明した。しかし、複数のファイルアイコン１が一括してドラッグ操作の対象となってもよい。この場合、ユーザがアクセス権限編集用アイコン６をユーザ操作することで、複数のファイルアイコン１に対して、一括してアクセス権限の許可／不許可が変更される。
【０１０８】
以上の説明では、アクセス権限の状態を示すアイコンとして、アクセス権限編集用アイコン６が画面上に表示される場合について説明した。すなわち、アクセス権限の状態を操作可能なアイコンが、ドラッグ操作に応じて画面上に表示されるとして説明した。しかしながら、アクセス権限の状態を示すアイコンは、必ずしもユーザが操作可能な形態でなくてもよい。この場合、単に、ドラッグの対象となったファイルアイコン１のアクセス権限の状態を示すアイコンが、ドラッグ操作に応じて画面上に表示される。
【０１０９】
このように、アイコンが操作不能な形態である場合にも、ユーザは、ドラッグ元のファイルアイコン１に対応するファイルに設定されているアクセス権限の状態を容易に視認することができる。なお、アイコンが操作不能な形態の場合、シングルタッチ方式に適用することが可能である。あるいは、この場合、タッチセンサ１３による入力方式ではなく、マウス（入力部）によるドラッグ操作に応じて、アクセス権限の状態を示すアイコンが画面上に表示されてもよい。
【０１１０】
上記各実施形態では、電子機器１００の一例として、タブレットＰＣ１００を例に挙げて説明したが、電子機器１００は、タブレットＰＣ１００に限られない。電子機器１００の他の例としては、デスクトップ型ＰＣ、ノート型ＰＣ、携帯電話機、携帯音楽プレイヤー、デジタルカメラ等が挙げられる。
【０１１１】
本技術は、以下の構成もとることができる。
（１）ユーザ操作を検出し、前記ユーザ操作に応じた信号を出力する入力部と、
データアイコンを表示部の画面上に表示させ、前記入力部からの信号に基づいて、前記データアイコンに対するドラッグ操作を判定し、前記ドラッグ操作に応じて、前記データアイコンに関するデータのアクセス権限の状態を示すアイコンを前記画面上に表示させる制御部と
を具備する電子機器。
（２）上記（１）に記載の電子機器であって、
前記制御部は、前記データアイコンに対するドラッグ操作に応じて、ドラッグ元の位置に前記データアイコンを表示させたまま、ドラッグ位置にデータアイコンの複製を表示させ、前記ドラッグ操作に基づく前記データアイコンの複製の移動による前記データアイコンの複製の軌跡上に、前記アイコンを表示させる
電子機器。
（３）上記（１）又は（２）に記載の電子機器であって、
前記制御部は、前記データアイコンに対するドラッグ操作に応じて、ドラッグ元の位置に前記データアイコンを表示させたまま、ドラッグ位置にデータアイコンの複製を表示させ、前記ドラッグ位置が、前記画面上の所定の領域内に位置するかを判定し、前記ドラッグ位置が前記領域内である場合に、前記アイコンを表示させる
電子機器。
（４）上記（３）に記載の電子機器であって、
前記画面上の所定の領域は、前記データをコピー又は移動することが可能な領域であって、かつ、前記データが公開される領域を少なくとも含む領域である
電子機器。
（５）上記（４）に記載の電子機器であって、
前記画面上の所定の領域は、前記データをコピー又は移動することが可能な領域であって、かつ、前記データが公開される領域よりも広く設定されている
電子機器。
（６）上記（１）乃至（５）のうちいずれか１つに記載の電子機器であって、
前記制御部は、前記アイコンとして、コピー又は移動を予定しているデータに対するアクセス権限の状態を編集するためのアクセス権限編集用アイコンを前記画面上に表示させ、前記入力部からの信号に基づいて、前記アクセス権限編集用アイコンに対するユーザ操作を判定し、前記ユーザ操作に応じて、コピー又は移動を予定しているデータに対するアクセス権限の状態を変更する
（７）電子機器に、
ユーザ操作を検出するステップと、
前記ユーザ操作に応じた信号を出力するステップと、
データアイコンを表示部の画面上に表示させるステップと、
前記信号に基づいて、前記データアイコンに対するドラッグ操作を判定するステップと、
前記ドラッグ操作に応じて、前記データアイコンに関するデータのアクセス権限の状態を示すアイコンを前記画面上に表示させるステップと
を実行させるプログラム。
（８）ユーザ操作を検出し、
前記ユーザ操作に応じた信号を出力し、
データアイコンを表示部の画面上に表示させ、
前記信号に基づいて、前記データアイコンに対するドラッグ操作を判定し、
前記ドラッグ操作に応じて、前記データアイコンに関するデータのアクセス権限の状態を示すアイコンを前記画面上に表示させる
制御方法。
【符号の説明】
【０１１２】
１…ファイルアイコン
２…フォルダ
４…ゴーストアイコン
６…アクセス権限編集用アイコン
１１…制御部
１２…表示部
１３…タッチセンサ
１４…通信部
１５…記憶部
１００…電子機器（タブレットＰＣ）
【図１】
2012243164.tif 000003
【図２】
2012243164.tif 000004
【図３】
2012243164.tif 000005
【図４】
2012243164.tif 000006
【図５】
2012243164.tif 000007
【図６】
2012243164.tif 000008
【図７】
2012243164.tif 000009
【図８】
2012243164.tif 000010
【図９】
2012243164.tif 000011
【図１０】
2012243164.tif 000012
【図１１】
2012243164.tif 000013
【図１２】
2012243164.tif 000014
【図１３】
2012243164.tif 000015
【図１４】
2012243164.tif 000016
【図１５】
2012243164.tif 000017
【図１６】
2012243164.tif 000018
【図１７】
2012243164.tif 000019
【図１８】
2012243164.tif 000020
【図１９】
2012243164.tif 000021
【図２０】
2012243164.tif 000022
【図２１】
2012243164.tif 000023
【図２２】
2012243164.tif 000024
【図２３】
2012243164.tif 000025